【手続補正書】
【提出日】平成29年11月6日(2017.11.6)
【手続補正１】
【補正対象書類名】特許請求の範囲
【補正対象項目名】全文
【補正方法】変更
【補正の内容】
【特許請求の範囲】
【請求項１】
端末装置と、前記端末装置用のアプリケーションに対する制御を管理する管理装置と、がネットワークを介して接続されたアプリケーション制御システムであって、
前記管理装置は、
前記端末装置用のアプリケーションを制御するための制御キーを生成し、
前記制御キーを、前記端末装置と、前記端末装置用のアプリケーションを保持し前記端末装置用のアプリケーションに対して制御要求を行う制御装置と、へ送信し、
前記端末装置は、
前記管理装置からの前記制御キーを受信して保持し、
前記制御装置からの前記制御キー及び前記制御要求を受信し、
保持された前記制御キーと前記制御装置からの制御キーとが一致するか否かを判定し、
前記制御キーが一致する場合、前記制御要求に応じて、前記制御キーに対応する前記端末装置用のアプリケーションを制御する、アプリケーション制御システム。
【請求項２】
請求項１に記載のアプリケーション制御システムであって、更に、
前記制御キーの送信先としての前記端末装置を指定し、前記指定された端末装置を識別するための第１の識別情報を前記管理装置へ送信する情報処理装置を備え、
前記管理装置は、前記第１の識別情報を受信し、前記第１の識別情報で識別される前記端末装置へ前記制御キーを送信し、
前記第１の識別情報で識別される前記端末装置は、前記管理装置から前記制御キーを受信して保持する、アプリケーション制御システム。
【請求項３】
請求項２に記載のアプリケーション制御システムであって、
前記管理装置は、前記第１の識別情報を前記制御装置へ送信し、
前記第１の識別情報で識別される前記端末装置は、前記制御装置から前記制御キー、前記端末装置用のアプリケーション、及び前記制御要求を受信する、アプリケーション制御システム。
【請求項４】
請求項１ないし３のいずれか１項に記載のアプリケーション制御システムであって、
前記管理装置は、前記端末装置用のアプリケーションに係る契約毎に、前記制御キーを生成する、アプリケーション制御システム。
【請求項５】
請求項１ないし４のいずれか１項に記載のアプリケーション制御システムであって、
前記管理装置は、前記端末装置毎に、前記制御キーを生成する、アプリケーション制御システム。
【請求項６】
請求項１ないし５のいずれか１項に記載のアプリケーション制御システムであって、
前記端末装置は、前記管理装置を認証し、前記認証が成功した場合に、前記管理装置からの前記制御キーを保持する、アプリケーション制御システム。
【請求項７】
請求項４または５に記載のアプリケーション制御システムであって、更に、
前記端末装置用のアプリケーションに係る契約を破棄するための破棄要求を前記管理装置へ送信する情報処理装置を備え、
前記破棄要求は、破棄対象の契約を識別するための第２の識別情報を含み、
前記管理装置は、前記破棄要求を受信し、前記破棄要求に応じて、前記契約に係る前記制御キーを破棄するための破棄通知を送信し、
前記端末装置は、前記破棄通知に応じて、前記端末装置により保持された制御キーを破棄する、アプリケーション制御システム。
【請求項８】
請求項１ないし７のいずれか１項に記載のアプリケーション制御システムであって、
前記端末装置は、前記制御装置から前記端末装置用のアプリケーションを受信し、
前記制御要求は、前記端末装置用のアプリケーションのインストール要求又は起動要求を含む、アプリケーション制御システム。
【請求項９】
請求項１ないし８のいずれか１項に記載のアプリケーション制御システムであって、
前記端末装置は、
画像を撮像し、
撮像画像から所定の特徴を抽出し、
抽出された前記撮像画像の特徴の情報を前記制御装置へ送信する、アプリケーション制御システム。
【請求項１０】
端末装置と、前記端末装置用のアプリケーションに対する制御を管理する管理装置と、がネットワークを介して接続されたアプリケーション制御システムであって、
前記管理装置は、
前記端末装置用のアプリケーションと前記端末装置とに係る契約に基づいて、前記端末装置用のアプリケーションを制御するための制御権限を生成し、
前記契約に係る前記端末装置を識別するための端末装置識別情報を、前記端末装置用のアプリケーションに対して制御要求を行う制御装置へ送信し、
前記制御装置からの前記制御要求及び前記端末装置識別情報を取得し、
前記端末装置識別情報に基づいて、記制御装置が前記制御権限を有するか否かを判定し、
前記制御権限を有する場合、前記制御要求を、前記端末装置識別情報で識別される端末装置へ送信し、
前記端末装置は、
前記管理装置を介して前記制御装置からの前記制御要求を受信し、
前記制御要求に応じて、前記端末装置用のアプリケーションを制御する、アプリケーション制御システム。
【請求項１１】
請求項１０に記載のアプリケーション制御システムであって、
前記管理装置は、
前記端末装置用のアプリケーションを保持し、
前記制御装置から、前記端末装置識別情報と、前記制御要求と、前記端末装置用のアプリケーションを識別するための第３の識別情報と、を受信し、
前記制御装置が前記制御権限を有する場合、前記端末装置識別情報で識別される端末装置へ、前記制御要求と、前記第３の識別情報で識別される端末装置用のアプリケーションと、を送信し、
前記端末装置識別情報で識別される端末装置は、
前記管理装置からの前記制御要求及び前記端末装置用のアプリケーションを受信し、
前記制御要求に応じて、前記第３の識別情報により識別される前記端末装置用のアプリケーションを制御する、アプリケーション制御システム。
【請求項１２】
請求項１０に記載のアプリケーション制御システムであって、
前記管理装置は、
前記端末装置用のアプリケーションの契約毎に、前記制御権限を生成し、
保持された前記端末装置識別情報と前記制御装置からの前記端末装置識別情報とが一致するか否かにより、前記制御装置が前記制御権限を有するか否かを判定する、アプリケーション制御システム。
【請求項１３】
請求項１１に記載のアプリケーション制御システムであって、
前記管理装置は、
前記端末装置識別情報を保持し、
前記端末装置用のアプリケーションの契約毎及び前記端末装置毎に、前記制御権限を生成し、
前記制御装置からの前記制御要求及び前記端末装置識別情報を取得し、
保持された前記端末装置識別情報と前記制御装置からの前記端末装置識別情報とが一致するか否かにより、前記制御装置が前記制御権限を有するか否かを判定する、アプリケーション制御システム。
【請求項１４】
請求項１０ないし１３のいずれか１項に記載のアプリケーション制御システムであって、
前記管理装置は、前記制御装置を認証し、前記認証が成功した場合に、前記制御装置が前記制御権限を有するか否かを判定する、アプリケーション制御システム。
【請求項１５】
請求項１０ないし１４のいずれか１項に記載のアプリケーション制御システムであって、更に、
前記契約を破棄するための破棄要求を前記管理装置へ送信する情報処理装置を備え、
前記破棄要求は、破棄対象の契約を識別するための第４の識別情報を含み、
前記管理装置は、
前記破棄要求を受信し、
前記破棄要求に応じて、前記制御権限を破棄する、アプリケーション制御システム。
【請求項１６】
請求項１０ないし１５のいずれか１項に記載のアプリケーション制御システムであって、
前記端末装置は、前記管理装置から前記端末装置用のアプリケーションを受信し、
前記制御要求は、前記端末装置用のアプリケーションのインストール要求又は起動要求を含む、アプリケーション制御システム。
【請求項１７】
請求項１０ないし１６のいずれか１項に記載のアプリケーション制御システムであって、
前記端末装置は、
画像を撮像し、
撮像画像から所定の特徴を抽出し、
抽出された前記撮像画像の特徴の情報を前記制御装置へ送信する、アプリケーション制御システム。
【請求項１８】
請求項１ないし１７のいずれか１項に記載のアプリケーション制御システムであって、
前記端末装置は、各種事象を検知するセンサ、各種処理を行うデバイス、又は携帯端末装置を含む、アプリケーション制御システム。
【請求項１９】
端末装置と、前記端末装置用のアプリケーションに対する制御を管理する管理装置と、がネットワークを介して接続されたアプリケーション制御システムにおけるアプリケーション制御方法であって、
前記管理装置により、前記端末装置用のアプリケーションを制御するための制御キーを生成し、
前記管理装置により、前記制御キーを、前記端末装置と、前記端末装置用のアプリケーションを保持し前記端末装置用のアプリケーションに対して制御要求を行う制御装置と、へ送信し、
前記端末装置により、前記管理装置からの前記制御キーを受信して保持し、
前記端末装置により、前記制御装置からの前記制御キー及び前記制御要求を受信し、
前記端末装置により、保持された前記制御キーと前記制御装置からの制御キーとが一致するか否かを判定し、
前記端末装置により、前記制御キーが一致する場合、前記制御要求に応じて、前記制御キーに対応する前記端末装置用のアプリケーションを制御する、アプリケーション制御方法。
【請求項２０】
端末装置と、前記端末装置用のアプリケーションに対する制御を管理する管理装置と、がネットワークを介して接続されたアプリケーション制御システムにおけるアプリケーション制御方法であって、
前記管理装置により、前記端末装置用のアプリケーションと前記端末装置とに係る契約に基づいて、前記端末装置用のアプリケーションを制御するための制御権限を生成し、
前記管理装置により、前記契約に係る前記端末装置を識別するための端末装置識別情報を、前記端末装置用のアプリケーションに対して制御要求を行う制御装置へ送信し、
前記管理装置により、前記制御装置からの前記制御要求及び前記端末装置識別情報を取得し、
前記管理装置により、前記端末装置識別情報に基づいて、前記制御装置が前記制御権限を有するか否かを判定し、
前記管理装置により、前記制御権限を有する場合、前記制御要求を、前記端末装置識別情報で識別される前記端末装置へ送信し、
前記端末装置により、前記管理装置を介して前記制御装置からの前記制御要求を受信し、
前記端末装置により、前記制御要求に応じて、前記端末装置用のアプリケーションを制御する、アプリケーション制御方法。